(57)【特許請求の範囲】
【請求項１】
乗りかごの重量に対して釣り合いをとるためのエレベータの釣合おもりにおいて、
一対の縦枠と、前記縦枠の下端部と連結される下枠と、前記縦枠の上端部と連結される上枠と、からなるおもり枠と、
前記一対の縦枠の間に積み重ねて積載される複数個のおもりと、
前記下枠と前記上枠の間の範囲全体に亘って当該縦枠の外側面に密着して各縦枠に嵌合する一対の第１補強枠と、
前記一対の第１補強枠を互いに引き付け合うようにして前記一対の縦枠に対して固定する第２補強枠と、
を備えることを特徴とするエレベータの釣り合いおもり。
【請求項２】
前記第２補強枠は、前記一対の補強枠の背面にそれぞれ水平な姿勢で配置される一対のブラケットと、釣り合いおもりの正面および背面にそれぞれ配置され、前記ブラケットの両端部と連結される一対の連結部材と、からなることを特徴とする請求項１に記載のエレベータの釣り合いおもり。
【請求項３】
前記第２補強枠は、上下に間隔をおいて複数取り付けられたことを特徴とする請求項２に記載のエレベータの釣り合いおもり。
【請求項４】
前記第１補強枠は、前記おもりの浮き上がりを阻止するおもり押さえによって、前記縦枠に固定されることを特徴とする請求項１に記載のエレベータの釣り合いおもり。
【請求項５】
一対の縦枠と、前記縦枠の下端部と連結される下枠と、前記縦枠の上端部と連結される上枠と、からなるおもり枠と、前記一対の縦枠の間に重ねて積載される複数個のおもりとを有するエレベータの釣合おもりにおいて、前記縦枠の強度を補強する方法であって、
既設の釣り合いおもりの縦枠に、前記下枠と前記上枠の間の範囲全体に亘って外側面に密着する第１補強枠を、前記各縦枠にボルト類の締結要素により取り付け、
一対の前記第１補強枠を互いに引き付け合うように前記一対の縦枠に対して固定する第２補強枠を、前記第１補強枠に重ねてボルト類の締結要素により取り付けることを特徴とするエレベータの釣り合いおもりの補強方法。
【発明の詳細な説明】
【技術分野】
【０００１】
本発明の実施形態は、エレベータの釣り合いおもりに関する。
【背景技術】
【０００２】
エレベータでは、乗りかごとの釣り合いをとるために、乗りかごの重量にバランスする釣り合いおもりが設けられている。釣り合いおもりは、一対の縦枠に上枠と下枠を四方組みしたおもり枠を備えており、このおもり枠におもりを幾段にも重ねるようにして積み上げた構造になっている。  
乗りかごの重量や積載重量は変わらないので、一度決まった釣り合いおもりの重量は通常は変わることはない。
【０００３】
ところで、老朽化したエレベータでは、設備を更新することで、輸送能力を高め、あるいは耐震性を高めるためのリニューアルが行われることがある。従来、地震の揺れによるおもり枠の強度を高める耐震補強については、例えば特許文献１に開示されているような補強が提案されている。
【０００４】
このようなエレベータのリニューアルでは、かご室の積載量を増やす結果、それに応じて釣り合いおもりの重量も増やす必要があり、既存のおもり枠におもりを追加する場合がある。
【先行技術文献】
【特許文献】
【０００５】
【特許文献１】特開２００８−１４３６５５号公報
【発明の概要】
【発明が解決しようとする課題】
【０００６】
しかしながら、古いエレベータの場合には、追加するおもりの重量によってはおもり枠の縦枠の強度が不足する場合がある。  
従来は、既設の釣り合いおもりの縦枠の強度を現地で効果的に補強できる手段がなかったため、縦枠をより強度の強いものに交換する必要があった。
【０００７】
その場合、釣り合いおもりを解体、撤去し、釣り合いおもりそのものを強度の大きな新規のものに交換するか、あるいは、新たに設計し直して強度を高めた縦枠をリニューアル工事現場に搬入して、釣り合いおもりを再度組み立てている。
【０００８】
このように、釣り合いおもりの縦枠の補強を簡易に行えなかったため、釣り合いもおもりあるいは縦枠の交換作業に伴う工数や費用が増加するという問題があった。  
また、釣り合いおもりの交換作業のために、釣り合いおもりを構成する部材の搬出入の経路や保管場所を確保しなければならない。エレベータのリニューアルが行われるような建物は、古い建物が多く、建物の状況によっては、釣合おもりの縦枠の搬出入が容易でないことがある。
【０００９】
その場合、釣り合いおもりの縦枠等の搬入時に、建築物の壁などに接触させ、損傷させてしまう可能性が生じる。
【００１０】
そこで、本発明は、前記従来技術の有する問題点に鑑みなされたものであって、エレベータのリニューアルにあたって、強度の不足する既設の釣り合いおもりのおもり枠を、リニューアル工事現場において解体やおもり枠等の交換をすることなく効果的に補強できるようにするエレベータの釣り合いおもりおよび補強方法を提供することを目的としている。
【課題を解決するための手段】
【００１１】
前記の目的を達成するために、本発明の実施形態によるエレベータの釣り合いおもりは、乗りかごの重量に対して釣り合いをとるためのエレベータの釣合おもりにおいて、一対の縦枠と、前記縦枠の下端部と連結される下枠と、前記縦枠の上端部と連結される上枠と、からなるおもり枠と、前記一対の縦枠の間に積み重ねて積載される複数個のおもりと、前記下枠と前記上枠の間の範囲全体に亘って当該縦枠の外側面に密着して各縦枠に嵌合する一対の第１補強枠と、前記一対の第１補強枠を互いに引き付け合うようにして前記一対の縦枠に対して固定する第２補強枠と、を備えることを特徴とする。
【００１２】
また、本発明の実施形態によるエレベータの釣り合いおもりの補強方法は、一対の縦枠と、前記縦枠の下端部と連結される下枠と、前記縦枠の上端部と連結される上枠と、からなるおもり枠と、前記一対の縦枠の間に重ねて積載される複数個のおもりとを有するエレベータの釣合おもりにおいて、前記縦枠の強度を補強する方法であって、既設の釣り合いおもりの縦枠に、前記下枠と前記上枠の間の範囲全体に亘って外側面に密着する第１補強枠を、前記各縦枠にボルト類の締結要素により取り付け、一対の前記第１補強枠を互いに引き付け合うように前記一対の縦枠に対して固定する第２補強枠を、前記第１補強枠に重ねてボルト類の締結要素により取り付けることを特徴とする。
【図面の簡単な説明】
【００１３】
【図１】本発明の第１実施形態によるエレベータの釣り合いおもりを示す斜視図である。
【図２】図１のエレベータの釣り合いおもりの補強構造を示す斜視図である。
【図３】補強される前の釣り合いおもりを示す斜視図である。
【図４】本発明の第２実施形態によるエレベータの釣り合いおもりを示す斜視図である。
【図５】本発明の第２実施形態によるエレベータの釣り合いおもりを示す斜視図である。
【発明を実施するための最良の形態】
【００１４】
以下、本発明によるエレベータの釣り合いおもりおよび補強方法の実施形態について、添付の図面を参照しながら説明する。  
（第１実施形態）  
図１は、本発明の第１実施形態によるエレベータの釣り合いおもりを示す斜視図である。図２は、図１の釣り合いおもりの補強構造を示す斜視図である。これら図１、２において、参照番号１０は、釣り合いおもりを示している。
【００１５】
この釣り合いおもり１０のおもり枠は、下枠１２と、上枠１４と、一対の縦枠１６ａ、１６ｂからなる型材の四方組みによりおもり枠が構成されている。このようなおもり枠は、従来の一般的な枠構造である。おもり枠の内側には、乗りかごの重量および積載重量に対応する重量分のおもり１８が縦枠１６ａ、１６ｂの間で積み上げるようにして搭載されている。
【００１６】
釣り合いおもり１０では、例えば、エレベータのリニューアル工事を実施する場合に、乗りかごの重量および積載重量が増加し、釣り合いおもり１０におもり１８を追加して搭載する必要が生じることがある。  
その場合、縦枠１６ａ、１６ｂに強度が不足していても、次のような補強構造を設けることにより、縦枠１６ａ、１６ｂの強度不足を補うことができるようになっている。
【００１７】
この実施形態では、縦枠１６ａ、１６ｂの外側面には、補強枠（第１補強枠）２０ａ、２０ｂが取り付けられており、この補強枠２０ａ、２０ｂは、下枠１２と上枠１４の間の範囲で縦枠１６ａ、１６ｂを覆うようになっている。縦枠１６ａ、１６ｂには、断面コ字形の鉄鋼型材が用いられている。補強枠２０ａ、２０ｂもコ字形断面を有する鉄鋼製の補強枠であり、縦枠１６ａ、１６ｂの外側面に隙間無く密着するように嵌合可能な補強枠である。
【００１８】
図２に示されるように、補強枠２０ａ、２０ｂの上端部は、固定金具２１、２１を用いてボルト・ナットで縦枠１６ａ、１６ｂに締結されている。このおもり枠の場合、補強枠２０ａ、２０ｂを取り付けるときには、既におもり１８が搭載されているので、固定金具２１による固定位置は、最上部のおもり１８よりも高い位置である。
【００１９】
補強枠２０ａ、２０ｂの背面には、断面Ｌ字形の型材からなるブラケット２２ａ、２２ｂが上下に間隔をおいて複数箇所に配設されている。
【００２０】
このブラケット２２ａ、２２ｂと、釣り合いおもり１０の正面および背面に配置される連結部材２４、２２は、補強枠２０ａ、２０ｂを固定するとともに縦枠１６ａ、１６ｂを補強する第２補強枠を構成するようになっている。この第２補強枠は、上下に間隔をおいて複数箇所、この実施形態では３箇所に設けられている。
【００２１】
ブラケット２２ａ、２２ｂの両端部には、連結部材２４、２４が次のように連結されている。  
この実施形態の場合、連結部材２４の両端部には、雄ねじ部２５が設けられており、この雄ねじ部２５にナット２６を締結することで、補強枠２０ａ、２０ｂの背面に水平な姿勢であてがったブラケット２２ａ、２２ｂを補強枠２０ａ、２０ｂに対して互いに引き付け合うようにして固定できるように構成されている。
【００２２】
なお、ブラケット２２ａ、２２ｂには、切欠２７が形成されているが、この切欠２７は、ガイドローラ２８が係合している図示しないガイドレールとの干渉を避けるためのものである。
【００２３】
本実施形態によるエレベータの釣り合いおもりは、以上のように構成されるものであり、次に、エレベータのリニューアル工事で、釣合おもりを補強する工程との関係において、その効果について説明する。  
乗客輸送能力を高めるために、エレベータのリニューアル工事を実施すると、乗りかごの重量および積載重量が増加する。これに伴い、釣り合いおもり１０におもり１８を追加して搭載する必要が生じることがある。
【００２４】
ここで、図３は、補強する前の既設の釣り合いおもり１０を示している。  
釣り合いおもり１０のおもり枠のうち、強度が不足するのは、スパンの長い縦枠１６ａ、１６ｂである。縦枠１６ａ、１６ｂの剛性、曲げ強度が不足すると、縦枠１６ａ、１６ｂがおもり１８の重量で湾曲するように変形し、積載されたおもり１８が脱落する虞がある。  
そこで、本実施形態の釣り合いおもり１０では、リニューアル工事現場において、次のようにして、縦枠１６ａ、１６ｂを補強することができる。
【００２５】
まず、図１並びに図２において、追加のおもり１８を積み込んでから、縦枠１６ａ、１６ｂの外側面に、補強枠２０ａ、２０ｂを取り付ける。その後、固定金具２１、２１をボルト・ナットで締結し、最上段のおもり１８より高い位置で補強枠２０ａ、２０ｂを縦枠１６ａ、１６ｂに固定する。    
次いで、連結部材２４、２４の両端部の雄ねじ部２５を、ブラケット２２ａ、２２ｂのねじ穴に通し、補強枠２０ａ、２０ｂを連結部材２４、２４とブラケット２２ａ、２２ｂとで囲むようにする。そして、ナット２６を締め付けることで、ブラケット２２ａ、２２ｂを互いに引き付け合うようにして補強枠２０ａ、２０ｂに対して押し付け、補強枠２０ａ２０ｂを固定することができる。
【００２６】
図１に示されるように、ブラケット２２ａ、２２ｂおよび連結部材２４、２４からなる第２補強枠は、この実施形態では、下枠１２の上、上枠１４の下、下枠１２と上枠１４の中間位置の３箇所に設けられているが、設置箇所はこれに限定されるものではない。
【００２７】
以上のような補強を強度の不足した縦枠１６ａ、１６ｂに施すことにより、縦枠の曲げ強度、剛性を大幅に向上させることができる。
【００２８】
この実施形態の場合、縦枠１６ａ、１６ｂには、下枠１２から上枠１４の間にある部分全体に亘って、縦枠１６ａ、１６ｂと同じコ字形断面の補強枠２０ａ、２０ｂを外側面に密着させて固定している。
【００２９】
この補強枠２０ａ、２０ｂの取り付けによって、縦枠１６ａ、１６ｂの曲げ強度および剛性が高まる。そして、さらに、縦枠１６ａ、１６ｂと一体の補強枠２０ａ、２０ｂを抱き込むように、ブラケット２２ａ、２２ｂと連結部材２４、２４とからなる第２補強枠を取り付けているので、単純に縦枠１６ａ、１６ｂに補強枠２０ａ、２０ｂを取り付けた場合に較べて、縦枠１６ａ、１６ｂの剛性や曲げ強度を格段に高めることができる。
【００３０】
この実施形態の場合、ブラケット２２ａ、２２ｂに連結部材２４、２４を連結するときに、雄ねじ部２５にナット２６を締め付けることで、ブラケット２２ａ、２２ｂを互いに引き付け、補強枠２０ａ、２０ｂを縦枠１６ａ、１６ｂに対して強固に固定することができる。
【００３１】
しかも、釣り合いおもり１０に追加するおもり１８の数が増加し、縦枠１６ａ、１６ｂが変形（外側に凸に湾曲）しようとすると、連結部材２４、２４が突っ張りとなって補強枠２０ａ、２０ｂと一体の縦枠１６ａ１６ｂをますます強く引き付けるようにして支えるので、縦枠１６ａ、１６ｂの変形を阻止することになる。
【００３２】
このようにして、おもり１８の重量が増えるほど、補強枠２０ａ、２０ｂと、連結部材２４、２４との協働による大きな補強効果が得られるので、リニューアルにあたって必要とされる重量のおもり１８を強度上問題なく既設の釣り合いおもり１０に積載することができる。
【００３３】
さらに、釣り合いおもり１０の縦枠１６ａ、１６ｂを補強する作業は、既設の釣り合いおもり１０をそっくりそのまま活用して、リニューアル工事現場のピットなどで実施することが可能である。このため、既設の釣り合いおもり１０を解体し、撤去することがなくなり、従来のように、搬出入の経路や保管場所を確保する必要がなく、また、搬出入の際に建物の壁などを損傷させてしまうようなこともない。
【００３４】
補強の作業自体も、縦枠１６ａ、１６ｂに補強枠２０ａ、２０ｂを取り付け、ブラケット２２ａ、２２ｂに連結部材２４をナット２６で連結するという簡易な作業であるため、少ない工数で効率的に補強を実施することができる。
【００３５】
（第２実施形態）  
次に、本発明の第２実施形態によるエレベータの釣り合いおもりについて、図４、図５を参照して説明する。なお、図１、図２の第１実施形態と同一の構成要素には同一の参照番号を付して、その詳細な説明は省略する。
【００３６】
この第２実施形態による釣り合いおもり１０では、第１実施形態と同様に、縦枠１６ａ、１６ｂに補強枠（第１補強枠）２０ａ、２０ｂを取り付けるとともに、ブラケット２２ａ、２２ｂと連結部材２４、２４とからなる第２補強枠を取り付けて、補強枠２０ａ、２０ｂを左右から引き付けるように固定している補強構造を有している。
【００３７】
この第２実施形態が、第１実施形態と異なる点は、それぞれ縦枠１６ａ、１６ｂにおもり１８の浮き上がりを防止するおもり押さえ３０ａ、３０ｂを取り付けたことである。
【００３８】
図５に示されるように、補強枠２０ａ、２０ｂの上端部は、おもり押さえ３０ａ、３０ｂを用いて、ボルト・ナットで縦枠１６ａ、１６ｂに締結されている。この場合、例えば、図２に示した固定金具２１のような金具を用いて、補強枠２０ａ、２０ｂとともにおもり押さえ３０ａ、３０ｂが縦枠１６ａ、１６ｂに固定される。
【００３９】
おもり押さえ３０ａ、３０ｂは、一対のコ字形の金具を組み合わせたもので、補強枠２０ａ、２０ｂを挟み込むように取り付けられている。
【００４０】
この実施形態では、補強枠２０ａ、２０ｂの内側で、おもり押さえ３０ａ、３０ｂの重なり合った部分はボルト・ナットで締結されており、この部分の下面が最上段のおもり１８の上面に当接するようになっている。
【００４１】
以上のような第２実施形態によれば、第１実施形態と同様に、おもり１８の重量が増えるほど、補強枠２０ａ、２０ｂと、連結部材２４、２４との協働による大きな補強効果が得られるので、リニューアルにあたって必要とされるおもり１８を強度上問題なく既設の釣り合いおもり１０に積載することができる。また、既設の釣り合いおもり１０を解体し、撤去する必要がなく、リニューアル工事現場で釣り合いおもり１０の縦枠１６ａ、１６ｂを補強する作業を簡便に行えるのも第１実施形態と同様である。
【００４２】
特に、第２実施形態では、縦枠１６ａ、１６ｂにおもり１８の浮き上がりを防止するおもり押さえ３０ａ、３０ｂを設けている。例えば、ブラケット２２ａ、２２ｂと連結部材２４、２４を締結するナット２６が緩むような事態が想定されるが、この場合には、補強効果の低下によって縦枠１６ａ、１６ｂが変形し、釣り合いおもり１０が下降を始めたときに、おもり１８が慣性で浮き上がり、脱落する可能性がある。
【００４３】
このような万一の事態に備えて、おもり押さえ３０ａ、３０ｂを設けることで、おもり１８の浮き上がりを抑えられるので、脱落を確実に防止することができる。
【００４４】
以上、本発明に係るエレベータの釣り合いおもりおよび補強方法について、好適な実施形態を挙げて説明したが、本発明は、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４５】
１０…釣り合いおもり、１２…下枠、１４…上枠、１６ａ、１６ｂ…縦枠、１８…おもり、２０ａ、２０ｂ…補強枠、２１…固定金具、２２ａ、２２ｂ…ブラケット、２４…連結部材、３０ａ、３０ｂ…おもり押さえ
【要約】
【課題】強度の不足する既設の釣り合いおもりのおもり枠を、リニューアル工事現場において解体やおもり枠等の交換をすることなく効果的に補強できるようにする。
【解決手段】本発明の実施形態による釣り合いおもり１０は、一対の縦枠１６ａ、１６ｂと、縦枠１６ａ、１６ｂの下端部と連結される下枠１２と、縦枠１６ａ、１６ｂの上端部と連結される上枠１４と、からなるおもり枠を有し、一対の縦枠１６ａ、１６ｂの間に積み重ねて積載される複数個のおもり１８と、縦枠１６ａ、１６ｂの外側面に密着して各縦枠に嵌合する一対の第１補強枠２０ａ、２０ｂと、一対の第１補強枠２０ａ、２０ｂを互いに引き付け合うようにして一対の縦枠１６ａ、１６ｂに対して固定する第２補強枠と、を備えている。
【選択図】図１【図１】
0005948404.tif 000002
【図２】
0005948404.tif 000003
【図３】
0005948404.tif 000004
【図４】
0005948404.tif 000005
【図５】
0005948404.tif 000006